(57)【要約】【課題】単心又は複数心の電線を容易に且つ確実に接続することができる電線接続用コネクタを提供する。【解決手段】電線接続用コネクタ１００は、外枠部材１０と、外枠部材１０と当接する係合部材３０と、係合部材３０の対向面３４に設けられ、接続される二組のリード線が略同軸となるように挿入される一対の溝部３６ａ，３６ｂと、外枠部材１０の対向面１２ａに固定されると共に係合部材３０の対向面３４に向かって突出する一対のコンタクト部材６０ａ，６０ｂと、溝部３６ａと一体的に形成され、コンタクト部材６０ａの一対の突出部６２ａ′，６２ａ″が挿入される一対の凹部３９ａ′，３９ａ″とを備える。突出部６２ａ′，６２ａ″の各々は、該突出部の突出方向に沿って設けられ、接続すべき電線の被覆を切断する２つの凸状部６２ａ，６２ａを有する。【選択図】図１
2007165010.tif 000002
【特許請求の範囲】
【請求項１】
一対の部材と、前記部材の一方における第１の対向面に設けられ、接続すべき一対の電線を略同軸となるように受容する溝部と、前記部材の他方における第２の対向面に固定されると共に前記第１の対向面に向かって突出する一対の突出部を有するコンタクト部材と、前記溝部と一体的に設けられ、前記一対の突出部が挿入される一対の凹部とを備え、
前記突出部の各々は、該突出部の突出方向に沿って設けられ、接続すべき電線の被覆を切断する切断部を有することを特徴とする電線接続用コネクタ。
【請求項２】
前記一対の部材は互いに結合されるように構成されていることを特徴とする請求項１記載の電線接続用コネクタ。
【請求項３】
前記一対の部材に隣接して配設された他の部材と、前記一対の部材の一方及び前記他の部材の一方における第３の対向面に設けられ、接続すべき一対の電線を略同軸となるように受容する他の溝部と、前記一対の部材の一方及び前記他の部材の他方における第４の対向面に固定されると共に前記第３の対向面に向かって突出する一対の他の突出部を有する他のコンタクト部材と、前記他の溝部と一体的に設けられ、前記一対の他の突出部が挿入される一対の他の凹部とを備え、
前記他の突出部の各々は、該他の突出部の突出方向に沿って設けられ、接続すべき他の一対の電線の被覆を切断する他の切断部を有することを特徴とする請求項１又は２記載の電線接続用コネクタ。
【請求項４】
前記一対の部材の一方が前記第３の対向面を有することを特徴とする請求項３記載の電線接続用コネクタ。
【請求項５】
前記他の部材が前記第３の対向面を有することを特徴とする請求項３又は４記載の電線接続用コネクタ。
【請求項６】
前記他の溝部は、前記第４の対向面に複数設けられることを特徴とする請求項３乃至５のいずれか１項に記載の電線接続用コネクタ。
【請求項７】
前記溝部は、前記第２の対向面に複数設けられることを特徴とする請求項１乃至６のいずれか１項に記載の電線接続用コネクタ。
【請求項８】
前記一対の部材の一方と前記他の部材とは互いに結合されるように構成されていることを特徴とする請求項３乃至７のいずれか１項に記載の電線接続用コネクタ。
【請求項９】
前記切断部及び前記他の切断部の各々は、その間に前記切欠き部を形成するように設けられた一対の凸状部を有し、前記一対の凸状部は、０．４〜０．６ｍｍの間隔を隔てて対向することを特徴とする請求項１乃至８のいずれか１項に記載の電線接続用コネクタ。
【発明の詳細な説明】
【技術分野】
【０００１】
本発明は、ビル・工場等の各種建物内部及び装置内部において用いられる電線接続用コネクタに関し、特に、単心又は複心の電線の端部を互いに接続するために用いられる電線接続用コネクタに関する。
【背景技術】
【０００２】
従来、装置等の電源供給線や信号線に用いられる電線として、例えば、芯線及び該芯線を外部と絶縁するべく芯線を被覆する被覆管とで構成されるリード線が知られている。このリード線の複数を電気的に接続する場合は、通常、各リード線先端部の被覆管を除去することにより各リード線先端部の芯線を露出させ、ハンダを用いて露出した芯線同士を溶着し、さらに、ハンダの溶着部をビニール絶縁テープ等を用いてテーピングを行うという作業が行われている。
【０００３】
ここで、例えば、装置等を納入先の建物内に設置し、建物内部において装置を外部と電気的に接続する際には、必要とされる電線の寸法を正確に測定することは必ずしも容易ではなく、上記のような電線接続作業を作業環境が不十分である現場において行わなければならない場合がある。また、近年、装置等の高度化及び複雑化に伴って建物内部や装置内部に用いられる電線数が増大しているため、上記のような電線接続を複数の電線に対して行う必要があり、作業が煩雑になるという問題がある。
【０００４】
このような問題を解消するべく、図１０に示すように、側壁１１２に複数の電線挿入穴１１６が穿孔されたケース本体１１１及び該ケース本体１１１と嵌合し開口面を閉鎖する蓋体１１４で構成される絶縁ケース１１０と、ケース本体１１１の略中心部に設けられ複数の電線挿入穴１１６と連通する凹部１１７へ装着されると共に下向き開口のコ字型の複数のコンタクト１１１とを有する単線型電線接続コネクタが提案されている（例えば、特許文献１参照）。
【０００５】
このコネクタでは、絶縁被覆が付いたままの電線先端部を、ケース本体１１１の電線挿入穴１１６から凹部１１７の中に挿入位置させた後、各コンタクト１２０の頂板１２４をプライヤ等の一般工具を用いて凹部１１７の底部方向に押し込む。このとき、各コンタクト１２０に形成された一対の切欠き１２２に電線先端部が挿入され、各コンタクト１２０の両脚１２１ａ，１２１ｂは、電線の絶縁被覆を周方向両側において条痕状に切り破ると共に、芯線を軸芯方向に押圧変形させるように芯線に圧接する。これにより各コンタクト１２０は各芯線と電気的に接続され、また、隣に位置する他のコンタクト１２０と圧接することにより複数のコンタクト１２０が互いに電気的に接続される。したがって、電線先端部に絶縁被覆が付いたままの状態で、複数の電線を容易に且つ確実に接続することが可能となる。
【特許文献１】特開平０６−０１３１１３号公報
【発明の開示】
【発明が解決しようとする課題】
【０００６】
しかしながら、上記のようなコネクタでは、使用者が電線をケース本体に挿入しながらコンタクトを一般工具を用いてケース本体の凹部に押し込まなければならないため、依然として接続作業が煩雑であるという問題がある。また、多数の単線や複数心の電線を接続する場合には、各電線毎にコンタクトの押し込み作業が必要であり、その作業が煩雑である。
【０００７】
本発明の目的は、単心又は複数心の電線を容易に且つ確実に接続することができる電線接続用コネクタを提供することにある。
【課題を解決するための手段】
【０００８】
上記目的を達成するために、請求項１記載の電線接続用コネクタは、一対の部材と、前記部材の一方における第１の対向面に設けられ、接続すべき一対の電線を略同軸となるように受容する溝部と、前記部材の他方における第２の対向面に固定されると共に前記第１の対向面に向かって突出する一対の突出部を有するコンタクト部材と、前記溝部と一体的に設けられ、前記一対の突出部が挿入される一対の凹部とを備え、前記突出部の各々は、該突出部の突出方向に沿って設けられ、接続すべき電線の被覆を切断する切断部を有することを特徴とする。
【０００９】
請求項２記載の電線接続用コネクタは、請求項１記載の電線接続用コネクタにおいて、前記一対の部材は互いに結合されるように構成されていることを特徴とする。
【００１０】
請求項３記載の電線接続用コネクタは、請求項１又は２記載の電線接続用コネクタにおいて、前記一対の部材に隣接して配設された他の部材と、前記一対の部材の一方及び前記他の部材の一方における第３の対向面に設けられ、接続すべき一対の電線を略同軸となるように受容する他の溝部と、前記一対の部材の一方及び前記他の部材の他方における第４の対向面に固定されると共に前記第３の対向面に向かって突出する一対の他の突出部を有する他のコンタクト部材と、前記他の溝部と一体的に設けられ、前記一対の他の突出部が挿入される一対の他の凹部とを備え、前記他の突出部の各々は、該他の突出部の突出方向に沿って設けられ、接続すべき他の一対の電線の被覆を切断する他の切断部を有することを特徴とする。
【００１１】
請求項４記載の電線接続用コネクタは、請求項３記載の電線接続用コネクタにおいて、前記一対の部材の一方が前記第３の対向面を有することを特徴とする。
【００１２】
請求項５記載の電線接続用コネクタは、請求項３又は４記載の電線接続用コネクタにおいて、前記他の部材が前記第３の対向面を有することを特徴とする。
【００１３】
請求項６記載の電線接続用コネクタは、請求項３乃至５のいずれか１項に記載の電線接続用コネクタにおいて、前記他の溝部は、前記第４の対向面に複数設けられることを特徴とする。
【００１４】
請求項７記載の電線接続用コネクタは、請求項１乃至６のいずれか１項に記載の電線接続用コネクタにおいて、前記溝部は、前記第２の対向面に複数設けられることを特徴とする。
【００１５】
請求項８記載の電線接続用コネクタは、請求項３乃至７のいずれか１項に記載の電線接続用コネクタにおいて、前記一対の部材の一方と前記他の部材とは互いに結合されるように構成されていることを特徴とする。
【００１６】
請求項９記載の電線接続用コネクタは、請求項１乃至８のいずれか１項に記載の電線接続用コネクタにおいて、前記切断部及び前記他の切断部の各々は、その間に前記切欠き部を形成するように設けられた一対の凸状部を有し、前記一対の凸状部は、０．４〜０．６ｍｍの間隔を隔てて対向することを特徴とする。
【発明の効果】
【００１７】
請求項１記載の電線接続用コネクタによれば、第１の対向面に設けられた溝部が一対の電線を略同軸となるように受容し、第２の対向面に固定されるコンタクト部材の一対の突出部が第１の対向面に向かって突出し、一対の突出部を溝部と一体的に設けられた一対の凹部に挿入し、各突出部の突出方向に沿って設けられた切断部が電線の被覆を切断するので、一対の突出部が一対の凹部に挿入されたときに、一対の切欠き部が一対の電線の被覆管を切り破ると共に一対の電線の各芯線と圧接する。これにより、電線先端部に被覆管が付いたままの状態で単心又は複数心の電線を容易に且つ確実に接続することができる。また、接続される一対の電線が略同軸となるように挿入されるので、電線接続用コネクタをコンパクトにすることができる。
【００１８】
請求項２記載の電線接続用コネクタによれば、一対の部材が互いに結合されるので、コンタクト部材を芯線に確実に圧接することができ、電線を更に確実に接続することができる。
【００１９】
請求項３記載の電線接続用コネクタによれば、他の部材が一対の部材に隣接して配設され、第３の対向面に設けられた他の溝部が一対の電線を略同軸となるように受容し、第４の対向面に固定される他のコンタクト部材の一対の他の突出部が前記第３の対向面に向かって突出し、一対の他の突出部を他の溝部と一体的に設けられた一対の他の凹部に挿入し、他の突出部の突出方向に沿って設けられた切断部が他の一対の電線の被覆を切断するので、一対の他の突出部が一対の他の凹部に挿入されたときに、他の切断部が他の一対の電線の被覆管を切り破ると共に他の一対の電線の各芯線と圧接する。これにより、電線接続用コネクタをコンパクトにしつつ、複数心の電線を更に確実に接続することができる。
【００２０】
請求項６記載の電線接続用コネクタによれば、他の溝部が前記第４の対向面に複数設けられるので、電線接続用コネクタを更にコンパクトにしつつ、複数心の電線を更に確実に接続することができる。
【００２１】
請求項７記載の電線接続用コネクタによれば、溝部が第２の対向面に複数設けられるので、電線接続用コネクタを更にコンパクトにしつつ、複数心の電線を更に確実に接続することができる。
【００２２】
請求項８記載の電線接続用コネクタによれば、一対の部材の一方と他の部材とが互いに結合されるので、他のコンタクト部材を芯線に確実に圧接することができ、電線を更に確実に接続することができる。
【００２３】
請求項９記載の電線接続用コネクタによれば、切断部及び他の切断部の各々は、その間に切欠き部を形成するように設けられた一対の凸状部を有し、一対の凸状部は、０．４〜０．６ｍｍの間隔を隔てて対向するので、一対の凸状部が電線の被覆管を周方向両側において条痕状に切断すると共に電線内の芯線の両側を周方向に圧接し、さらに芯線を軸心方向に押圧変形させるように芯線と接触する。これにより、一対の電線をコンタクト部材を介して確実に接続することができる。
【発明を実施するための最良の形態】
【００２４】
以下、本発明の実施の形態を図面を参照しながら詳述する。
【００２５】
図１は、本発明の実施の形態に係る電線接続用コネクタの構成を概略的に示す図であり（ａ）は斜視図であり、（ｂ）は平面展開図である。
【００２６】
図１（ａ）及び図１（ｂ）に示すように、コネクタ１は、互いに協働して内部空間を形成する略長尺状の一対の外枠部材１０，２０（図２，図３）と、前記内部空間に併設される略棒状の一対の係合部材３０，５０（一対の部材の他方）（図４，図５）と、一対の係合部材３０，５０間において係合部材５０に固定されると共に係合部材３０に向かって突出するコンタクト部材８０と、外枠部材１０に固定されると共に係合部材３０に向かって突出する一対のコンタクト部材６０と、外枠部材２０に固定されると共に係合部材５０に向かって突出する一対のコンタクト部材７０とを備える。
【００２７】
コネクタ１は、その形状が略直方体であり、その寸法が、例えば１３ｍｍ×１３ｍｍ×２０ｍｍである。一対の外枠部材１０，２０及び一対の係合部材３０，５０は、ＡＢＳ樹脂又はポリプロピレン樹脂からなる。これにより、耐熱性、耐久性、及び耐衝撃性を向上させることができる。
【００２８】
図２は、図１の外枠部材１０の構成を示す図であり、（ａ）は幅方向の平面図であり、（ｂ）は長手方向の平面図である。
【００２９】
図２において、外枠部材１０（一対の部材の一方）は、全体として断面略コの字型の形状を有しており、その内側において後述する係合部材３０の対向面３４（第１の対向面）と対向する対向面１２ａ（第２の対向面）を有する厚さ約２．０ｍｍの平面部１２と、平面部１２と直角をなすように設けられた厚さ約０．９ｍｍの一対の側面部１３ａ，１３ｂと、平面部１２に対して直角な方向における側面部１３ａの端部に設けられると共に側面部１３ｂの端部に向かって突出する突起部１１ａと、側面部１３ｂの端部に設けられると共に側面部１３ａの端部に向かって突出する突起部１１ｂと、対向面１２ａに固定されると共に係合部材３０の対向面３４に向かって突出する一対のコンタクト部材６０ａ，６０ｂとを備える。
【００３０】
図３は、図１の外枠部材２０の構成を示す図であり、（ａ）は幅方向の平面図であり、（ｂ）は長手方向の平面図である。
【００３１】
図３において、外枠部材２０（他の部材）は、全体として断面略コの字型の形状を有しており、その内側において後述する係合部材５０の対向面５４（第４の対向面）と対向する対向面２２ａ（第３の対向面）を有する厚さ約２．０ｍｍの平面部２２と、平面部２２と直角をなすように設けられた厚さ約０．９ｍｍの一対の側面部２３ａ，２３ｂと、平面部２２に対して直角な方向における側面部１３ａの端部に設けられると共に側面部２３ｂの端部に向かって突出する突起部２１ａと、側面部２３ｂの端部に設けられると共に側面部２３ａの端部に向かって突出する突起部２１ｂと、対向面２２ａに固定されると共に係合部材５０の対向面３４に向かって突出する一対のコンタクト部材７０ａ，７０ｂとを備える。
【００３２】
図４は、図１の係合部材３０の構成を示す図であり、（ａ）は、幅方向の平面図であり、（ｂ）は、長手方向の平面図であり、（ｃ）は図４（ａ）の線IV‐IVに沿う断面図である。
【００３３】
図４（ａ）において、係合部材３０は、外枠部材１０の対向面１２ａと対向する対向面３４を有するベース部材３１と、ベース部材３１に一体的に設けられ、後述する係合部材５０の対向面５３と対向する対向面３３を有する係合部３２と、対向面３４においてベース部材３１の長手方向に沿って設けられ、接続される二組のリード線を略同軸となるように受容する一対の溝部３６ａ，３６ｂと、対向面３３においてベース部材３１の長手方向に沿って設けられ、接続される一対のリード線を略同軸となるように受容する溝部３５と、ベース部材３１の側面において外枠部材１０の一対の突起部１１ａ，１１ｂを係止する一対の係止部４１ａ，４１ｂとを備える。
【００３４】
また、図４（ｂ）及び図４（ｃ）に示すように、係合部材３０は、対向面３４（第１の対向面）において溝部３６ａと一体的に成形され後述するコンタクト部材６０ａの一対の突出部６２ａ′，６２ａ″が挿入される一対の凹部３９ａ′，３９ａ″と、対向面３４において溝部３６ｂと一体的に形成され後述するコンタクト部材６０ｂの一対の突出部が挿入される一対の凹部３９ｂ′，３９ｂ″と、対向面３３において溝部３５と一体的に形成され後述するコンタクト部材８０の一対の突出部が挿入される一対の凹部３７′，３７″とを備える。尚、凹部３９ｂ″は、後述するように、係合部材３０の中心位置を通り且つ対向面３３，３４と垂直な横断面に関して凹部３９ａ″と対象な位置に形成されている。
【００３５】
図５は、図１の係合部材５０の構成を示す図であり、（ａ）は、幅方向の平面図であり、（ｂ）は、長手方向の平面図であり、（ｃ）は図５（ａ）の線Ｖ−Ｖに沿う断面図である。
【００３６】
図５において、係合部材５０は、外枠部材２０の対向面２２ａと対向する対向面５４を有するベース部材５１と、ベース部材５１に一体的に設けられ、後述する係合部材３０の対向面３３と対向する対向面５３を有する係合部５２と、対向面５４においてベース部材３１の長手方向に沿って設けられ、接続される二組のリード線を略同軸となるように受容する一対の溝部５５ａ，５５ｂと、ベース部材５１の側面において外枠部材２０の一対の突起部２１ａ，２１ｂを係止する一対の係止部５８ａ，５８ｂと、係合部５２の側面において外枠部材２０の一対の突起部２１ａ，２１ｂ及び外枠部材１０の一対の突起部１１ａ，１１ｂを固定する一対の固定部５９ａ，５９ｂを備える。
【００３７】
また、図５（ｂ）及び図５（ｃ）に示すように、係合部材５０は、対向面５４において溝部５５ａと一体的に形成されコンタクト部材７０ａの一対の突出部（不図示）が挿入される一対の凹部５６ａ′，５６ａ″と、対向面５４において溝部５５ｂと一体的に形成されコンタクト部材７０ｂの一対の突出部が挿入される一対の凹部５６ｂ′，５６ｂ″とを備える。尚、凹部５６ｂ″は、後述するように、係合部材５０の中心位置を通り且つ対向面３３，３４と垂直な横断面に関して凹部５６ａ″と対象な位置に形成されている。
【００３８】
係合部５２は、その底部に対向面５３を有する凹部を形成し、係合部３２は、その端部に対向面３３を有する凸部を形成している。したがって、係合部５２及び係合部３２は、一対の係合部を構成し、対向面５３及び対向面３３は一対の対向面を構成する。
【００３９】
係合部５２と係合部３２とは、例えば凹部及び凸部の弾性力により結合し、また、係合部材５０と一対の外枠部材１０，２０とは、例えばスナップ式で結合する。
【００４０】
図６は、図１のコンタクト部材６０ａの構成を示す図であり、（ａ）は、幅方向の平面図であり、（ｂ）は、長手方向の平面図である。尚、コンタクト部材６０ｂ、７０ａ、７０ｂ、及び８０の構成は、コンタクト部材６０ａと同一であるため、その説明を省略する。
【００４１】
図６において、コンタクト部材６０ａは、対向面１２ａにおいて平面部１２の長手方向に沿って設けられており、厚さ約０．８ｍｍの板状部材６１と、板状部材６１の長手方向両端部近傍において板状部材６１と直角をなすように設けられた一対の突出部６２ａ′，６２ａ″とを有する。
【００４２】
コンタクト部材６０ａは、例えば表面に錫メッキを施した黄銅からなる。なお、コンタクト部材７０ａ，７０ｂ，８０も、コンタクト部材６０ａと同様の材料からなる。
【００４３】
板状部材６１は、その長手方向端部が曲面に形成されており、例えば、Ｒ０．４で面取り加工される。外枠部材１０の対向面１２ａには、平面部１２の長手方向に沿って板状部材６１と同寸法の溝（不図示）が形成されており、外枠部材１０の弾性力を作用させながら板状部材６１を該溝に嵌めこむことにより、コンタクト部材６０ａを外枠部材１０に固定する。
【００４４】
コンタクト部材６０ｂはコンタクト部材６０ａと同様の方法により外枠部材１０に固定され、コンタクト部材７０ａ、７０ｂはコンタクト部材６０ａと同様の方法により外枠部材２０に固定される。また、係合部材５０の対向面５３には、対向面５３の長手方向に沿ってコンタクト部材８０の板状部材と同寸法の溝（不図示）が形成されており、係合部材５０の弾性力を作用させながらコンタクト部材８０の板状部材６１を該溝に嵌めこむことにより、コンタクト部材８０を係合部材５０に固定する。
【００４５】
突出部６２ａ′は、その間に切欠き部６５（切断部）を形成するように設けられた厚さ約０．８ｍｍの一対の板状凸状部６２ａ，６２ｂと、切欠き部６５において０．４〜０．６ｍｍの間隔で互いに対向する一対の対向面６４ａ，６４ｂを有する。突出部６２ａ″は、その構成が突出部６２ａ′と同一である。突出部６２ａ′，６２ａ″の各々は、その突出方向に沿って設けられた切欠き部６５により、接続すべき電線の被覆を切断する。
【００４６】
一対の板状凸状部６２ａ，６２ｂは、夫々その突出方向の端部が曲面に形成されており、例えば、Ｒ０．５で面取り加工される。これにより、リード線内の芯線を切欠き部に容易に挿入することができる。突出部６２ａ″に設けられた一対の板状凸状部（不図示）は、その構成が一対の板状凸状部６２ａ，６２ｂと同一であるので、その説明を省略する。
【００４７】
上記のように構成されるコンタクト部材６０ａでは、一のリード線を突出部６２ａ′で挟持すると共に他のリード線Ｗ″を突出部６２ａ″で挟持する。具体的には、リード線Ｗ′内の芯線の外周面を突出部６２ａ′の一対の対向面６４ａ，６４ｂで圧接すると共に、リード線Ｗ″内の芯線の外周面を突出部６２ａ″の一対の対向面（不図示）で圧接する。
【００４８】
ここで、一対の対向面６４ａ，６４ｂの間隔は、接続されるリード線内の芯線の寸法に応じて変更される。例えば、リード線Ｗ′内の芯線の外径が０．６５〜１．０ｍｍである場合は、一対の対向面６４ａ，６４ｂの間隔が０．４ｍｍであるコンタクト部材が使用され、芯線の外径が１．０〜１．６ｍｍである場合は、一対の対向面６４ａ，６４ｂの間隔が０．６ｍｍであるコンタクト部材が使用される。これにより、様々な寸法のリード線をコンタクト部材６０ａに確実に圧接することができる。
【００４９】
次に、本実施の形態に係る電線接続用コネクタを用いて、複数心の電線を他の複数心の電線に接続する方法を以下に説明する。以下、複数心を有するリード線として５心リード線を用いて説明する。
【００５０】
図７は、図１のコネクタ１を用いて５心リード線を他の５心リード線に接続する方法を説明する図であり、（ａ）〜（ｃ）は、各工程を説明する図である。
【００５１】
図７において、先ず、一方の５心リード線を構成するリード線Ｗ１〜Ｗ５のうち、リード線Ｗ１の端部を、該端部に被覆管が装着されたままの状態で係合部材３０の溝部３５に挿入し、さらに、他方の５心リード線を構成するリード線Ｗ６〜Ｗ１０のうち、リード線Ｗ６の端部を、該端部に被覆管が装着されたままの状態で溝部３５に挿入する。
【００５２】
次に、係合部材３０の対向面３４及び係合部材５０の対向面５４を互いに向かい合う方向に押圧することにより、係合部５２と係合部３２とが互いに係合し、係合部材３０の対向面３３が係合部材５０の対向面５３に当接すると共にコンタクト部材８０の一対の突出部が一対の凹部３７′，３７″に挿入される。このとき、コンタクト部材８０に設けられた切欠き部がリード線Ｗ１，Ｗ６の各被覆管を周方向両側において条痕状に切断すると共に、リード線Ｗ１，Ｗ６の各芯線の両側を周方向に圧接し、各芯線を軸心方向に押圧変形させるように各芯線と接触する。これにより、リード線Ｗ１，Ｗ６がコンタクト部材８０を介して電気的に接続される（図７（ａ））。また、このとき、係合部５２と係合部３２とは、凹部及び凸部の弾性力により結合する。
【００５３】
次に、一方のリード線Ｗ２，Ｗ３の端部を、各端部に被覆管が装着されたままの状態で係合部材３０の一対の溝部３６ａ，３６ｂに挿入し、さらに、他方のリード線Ｗ７，Ｗ８の端部を、各端部に被覆管が装着されたままの状態で係合部材３０の一対の溝部３６ａ，３６ｂに挿入する。次いで、一方のリード線Ｗ４，Ｗ５の端部を、各端部に被覆管が装着されたままの状態で係合部材５０の一対の溝部５５ａ，５５ｂに挿入し、さらに、他方のリード線Ｗ６，Ｗ７の端部を、各端部に被覆管が装着されたままの状態で係合部材５０の一対の溝部５５ａ，５５ｂに挿入する。
【００５４】
さらに、一方のリード線Ｗ２〜Ｗ５及び他方のリード線Ｗ７〜Ｗ１０を各溝に挿入した状態で、外枠部材１０の一対の突起部１１ａ，１１ｂを係合部材３０の一対の係止部５８ａ，５８ｂに係止させると共に、外枠部材２０の一対の突起部２１ａ，２１ｂを係合部材３０の一対の係止部５８ａ，５８ｂに係止させる。これにより、リード線Ｗ２，Ｗ７は、コンタクト部材６０ａの一対の突出部６２ａ′，６２ａ″により溝３６ａに係止され、リード線Ｗ３，Ｗ８は、コンタクト部６０ｂの一対の突出部により溝３６ｂに係止され、リード線Ｗ４，Ｗ９は、コンタクト部材７０ａの一対の突出部により溝５５ａに係止され、リード線Ｗ５，Ｗ１０は、コンタクト部材７０ｂの一対の突出部により溝５５ｂに係止される（図７（ｂ））。
【００５５】
次に、外枠部材１０の平面部１２及び外枠部材２０の平面部２２を互いに向かい合う方向に押圧し、外枠部材１０の一対の突起部１１ａ，１１ｂを係合部材５０の一対の固定部５９ａ，５９ｂに固定させると共に、外枠部材２０の一対の突起部２１ａ，２１ｂを係合部材５０の一対の固定部５９ａ，５９ｂに固定させる。このとき、外枠部材１０及び外枠部材２０の各々がスナップ式に係合部材５０に結合する。これにより、外枠部材１０の対向面１２ａが係合部材３０の対向面３４に当接し、コンタクト部材６０ａの一対の突出部６２ａ′，６２ａ″が一対の凹部３９ａ′，３９ａ″に挿入されると共にコンタクト部材６０ｂの一対の突出部が一対の凹部３９ｂ′，３９ｂ″に挿入される。また、外枠部材２０の対向面２２ａが係合部材５０の対向面５４に当接し、コンタクト部材７０ａの一対の突出部が一対の凹部５６ａ′，５６ａ″に挿入されると共にコンタクト部材７０ｂの一対の突出部が一対の凹部５６ｂ′，５６ｂ″に挿入される。
【００５６】
このとき、コンタクト部材６０ａの２つの凸状部６２ａ，６２ｂがリード線Ｗ２，Ｗ７の各被覆管を周方向両側において条痕状に切断すると共に、リード線Ｗ２，Ｗ７の各芯線の両側を周方向に圧接し、各芯線を軸心方向に押圧変形させるように各芯線と接触する。これにより、リード線Ｗ２とリード線Ｗ７とが、コンタクト部材６０ａを介して電気的に接続される。また、コンタクト部材６０ａ，６０ｂ，７０ａ，７０ｂの各凸状部は、上記と同様にして、リード線Ｗ３〜Ｗ５及びＷ８〜Ｗ１０の各芯線と接触する。これにより、リード線Ｗ３，Ｗ８、Ｗ４，Ｗ９、及びＷ８，Ｗ１０が、夫々コンタクト部材６０ｂ，７０ａ，７０ｂを介して電気的に接続される（図７（ｃ））。
【００５７】
上述したように、本実施の形態によれば、対向面３４に設けられた溝部３６ａが一対の電線Ｗ２，Ｗ７を略同軸となるように受容し、対向面１２ａに固定されるコンタクト部材６０ａの一対の突出部６２ａ′，６２ａ″が対向面３４に向かって突出し、一対の突出部６２ａ′，６２ａ″を溝部３６ａと一体的に設けられた一対の凹部３９ａ′，３９ａ″に挿入し、各突出部の突出方向に沿って設けられた切欠き部６５が電線の被覆を切断するので、一対の突出部が一対の凹部に挿入されたときに、一対の切欠き部が一対の電線の被覆管を切り破ると共に一対の電線の各芯線と圧接する。これにより、電線先端部に被覆管が付いたままの状態で５心のリード線を他の５心リード線に容易に且つ確実に接続することができる。また、接続される一対の電線が略同軸となるように挿入されるので、電線接続用コネクタをコンパクトにすることができる。
【００５８】
本実施の形態では、５心リード線を他の５心リード線に接続するが、これに限るものではなく、他の複数心リード線、例えば、２心〜４心、又は６心以上のリード線を、他の２心〜４心、又は６心以上のリード線に接続することも可能である。また、単心リード線を他の単心リード線に接続することも可能であることは言うまでもない。
【００５９】
本実施の形態では、一対の外枠部材１０，２０及び一対の係合部材３０，５０は、ＡＢＳ樹脂又はポリプロピレン樹脂から成るが、これに限るものではなく、ＡＢＳ樹脂等と同等の特性を有する透明材料からなるものであってもよい。これにより、リード線の接続状態を外部から確認することができ、リード線を更に確実に接続することができる。
【００６０】
図８は、図１の電線接続用コネクタ１の変形例を示す図である。なお、本変形例の電線接続用コネクタは、その構成が上記実施の形態と基本的に同じであり、同じ構成要素については同一の符号を付して重複した説明を省略し、以下に異なるもののみ説明する。
【００６１】
図８において、電線接続用コネクタ８０は、内部空間に配設され外枠部材１０の対向面１２ａと当接する対向面８５及び外枠部材２０の対向面２２ａと当接する対向面８６を有する芯材８７を有する。
【００６２】
芯材８７は、対向面８５において二組のリード線を略同軸となるように受容する一対の溝部９０ａ，９０ｂと、対向面８６において二組のリード線を略同軸となるように受容する一対の溝部９１ａ，９１ｂと、対向面８５において溝部９０ａと一体的に形成されコンタクト部材６０ａの一対の突出部が挿入される一対の凹部９２ａ′，９２ａ″と、対向面８５において溝部９０ｂと一体的に設けられコンタクト部材８８ｂの一対の突出部が挿入される一対の凹部９２ｂ′，９２ｂ″と、対向面８６において溝部９１ａと一体的に形成されコンタクト部材７０ａの一対の突出部が挿入される一対の凹部９３ａ′，９３ａ″と、対向面８６において溝部９１ｂと一体的に形成されコンタクト部材７０ｂの一対の突出部が挿入される一対の凹部９３ｂ′，９３ｂ″とを備える。
【００６３】
また、芯材８７は、その側面に設けられ外枠部材１０の一対の突起部１１ａ，１１ｂを係止する一対の係止部９４ａ，９４ｂと、外枠部材２０の一対の突起部２１ａ，２１ｂを係止する一対の係止部９５ａ，９４ｂと、外枠部材２０の一対の突起部２１ａ，２１ｂ及び外枠部材１０の一対の突起部１１ａ，１１ｂを固定する一対の固定部９６ａ，９６ｂとを備える。一対の突起部１１ａ，１１ｂ，一対の突起部２１ａ，２１ｂ，及び一対の固定部９６ａ，９６ｂの各々は、例えばスナップ式で結合する。
【００６４】
本変形例によれば、パーツ点数の少ない単純な構成で、４心リード線を他の４心リード線に容易に且つ確実に接続することができる。尚、本変形例では、４心リード線を接続するが、これに限るものではなく、単心リード線や４心以外の複数心リード線を互いに接続するものであってもよい。
【００６５】
図９は、図１の電線接続用コネクタ１の他の変形例を示す図である。
【００６６】
図９において、電線接続用コネクタ１００は、一対の部材１０１，１０２と、部材１０２における対向面１０４に設けられ、接続すべき一対の電線を略同軸となるように受容する溝部１０６と、部材１０１における対向面１０３に固定されると共に対向面１０４に向かって突出する一対の突出部を有するコンタクト部材１０５と、溝部１０６と一体的に設けられ、一対の突出部が挿入される一対の凹部１０７′１０７″とを備える。一対の突出部の各々は、該突出部の突出方向に沿って設けられ、接続すべき電線の被覆を切断する一対の凸状部を有する。
【００６７】
本他の変形例によれば、電線先端部に被覆管が付いたままの状態で単心の電線を容易に且つ確実に接続することができる。また、接続される一対の電線が略同軸となるように挿入されるので、電線接続用コネクタ１００をコンパクトにすることができる。さらに、パーツ点数の少ない単純な構成で、単心リード線を他の単心リード線に容易に且つ確実に接続することができる。
【００６８】
本他の変形例では、単心リード線を他の単心リード線に接続するが、これに限るものではなく、複数心リード線を他の複数心リード線に接続するものであってもよい。
【図面の簡単な説明】
【００６９】
【図１】本発明の実施の形態に係る電線接続用コネクタの構成を概略的に示す図であり（ａ）は斜視図であり、（ｂ）は平面展開図である。
【図２】図１の外枠部材１０の構成を示す図であり、（ａ）は幅方向の平面図であり、（ｂ）は長手方向の平面図である。
【図３】図１の外枠部材２０の構成を示す図であり、（ａ）は幅方向の平面図であり、（ｂ）は長手方向の平面図である。
【図４】図１の係合部材３０の構成を示す図であり、（ａ）は、幅方向の平面図であり、（ｂ）は、長手方向の平面図であり、（ｃ）は図４（ａ）の線IV-IVに沿う断面図である。
【図５】図１の係合部材５０の構成を示す図であり、（ａ）は、幅方向の平面図であり、（ｂ）は、長手方向の平面図であり、（ｃ）は図５（ａ）の線Ｖ−Ｖに沿う断面図である。
【図６】図１のコンタクト部材６０の構成を示す図であり、（ａ）は、幅方向の平面図であり、（ｂ）は、長手方向の平面図である。
【図７】図１のコネクタ１を用いて５心リード線を他の５心リード線に接続する方法を説明する図であり、（ａ）〜（ｃ）は、各工程を説明する図である。
【図８】図１の電線接続用コネクタ１の変形例を示す図である。
【図９】図１の電線接続用コネクタ１の他の変形例を示す図である。
【図１０】従来の単線型電線接続コネクタの構成を概略的に示す斜視図である。
【符号の説明】
【００７０】
１  コネクタ
１０，２０  外枠部材
１２ａ，２２ａ，３３，３４，５３，５４  対向面
３０，５０  係合部材
３５，３６ａ，３６ｂ，５５ａ，５５ｂ  溝部
６０ａ，６０ｂ，７０ａ，７０ｂ，８０  コンタクト部材
６２ａ′，６２ａ″  突出部
３７′，３７″，３９ａ′，３９ａ″，３９ｂ′，３９ｂ″  凹部
５６ａ′，５６ａ″，５６ｂ′，５６ｂ″  凹部
６２ａ，６２ａ  凸状部
【図１】
2007165010.tif 000003
【図２】
2007165010.tif 000004
【図３】
2007165010.tif 000005
【図４】
2007165010.tif 000006
【図５】
2007165010.tif 000007
【図６】
2007165010.tif 000008
【図７】
2007165010.tif 000009
【図８】
2007165010.tif 000010
【図９】
2007165010.tif 000011
【図１０】
2007165010.tif 000012